(57)【要約】      （修正有）【課題】十分な係合力が得られる綴じ具を提供する。【解決手段】綴じ具は、棒状のベース２及び該ベース２から突出し、ベース２に沿って軸方向に並んだ複数の半リング部を有する二つの部材とを備える。一方の部材における半リング部の先端部と、他方の部材における半リング部の先端部とを突き合わせる。複数の半リング部は第一半リング部５及び第二半リング部６を含む。第一半リング部５の先端部外周面に、第一凹部及び該第一凹部の先端側に隣接する第一凸部５７が、第一半リング部５の軸方向における幅全体に亘って形成されている。第二半リング部６の先端部内周面に、第二凹部６０及び該第二凹部６０の先端側に隣接する第二凸６７部が、第二半リング部６の軸方向における幅全体に亘って形成されている。一方の部材の第一凸部及び第二凸部６７は、他方の部材の第二凹部６０及び第一凹部にそれぞれ係合する。【選択図】図８
2019025844.tif 000002
【特許請求の範囲】
【請求項１】
棒状のベース及び該ベースから突出し、前記ベースに沿って軸方向に並んだ複数の半リング部を有する二つの部材を備え、一方の前記部材における前記半リング部の先端部と、他方の前記部材における前記半リング部の先端部とを突き合わせる綴じ具であって、
前記複数の半リング部は第一半リング部及び第二半リング部を含み、
前記第一半リング部の先端部外周面に、第一凹部及び該第一凹部の先端側に隣接する第一凸部が、前記第一半リング部の軸方向における幅全体に亘って形成されており、
前記第二半リング部の先端部内周面に、第二凹部及び該第二凹部の先端側に隣接する第二凸部が、前記第二半リング部の軸方向における幅全体に亘って形成されており、
一方の前記部材の前記第一凸部及び第二凸部は、他方の前記部材の前記第二凹部及び第一凹部にそれぞれ係合する
綴じ具。
【請求項２】
前記第一凸部及び第二凹部に、前記半リング部の軸心に交差し、互いに接触する第一傾斜面がそれぞれ形成されており、
前記第二凸部及び第一凹部に、前記半リング部の軸心に交差し、互いに接触する第二傾斜面がそれぞれ形成されている
請求項１に記載の綴じ具。
【請求項３】
前記第一傾斜面及び第二傾斜面は前記半リング部の軸方向に偏倚している
請求項２に記載の綴じ具。
【請求項４】
軸方向において、一又は連続した複数の前記第一半リング部が配置され、
前記一又は複数の第一半リング部の隣に、一又は連続した複数の前記第二半リング部が配置されている
請求項２又は３に記載の綴じ具。
【発明の詳細な説明】
【技術分野】
【０００１】
本発明は、例えば紙葉を綴じる綴じ具に関する。
【背景技術】
【０００２】
従来、棒状のベースに複数の半リング部が並設された二つの綴じ具部材と、該二つの綴じ具部材それぞれのベースを連結する枢軸とを備える綴じ具が提案されている。半リング部の先端部には、突出した爪部と、窪んだ爪受け部とが形成されている。爪部と爪受け部とは、半リング部の軸方向に並ぶ。
【０００３】
一方の綴じ具部材の爪部が、他方の綴じ具部材の爪受け部に係合し、他方の綴じ具部材の爪部が、一方の綴じ具部材の爪受け部に係合することで、例えば紙葉を綴じることができる（例えば特許文献１参照）。
【先行技術文献】
【特許文献】
【０００４】
【特許文献１】特開２０１７−９４６２７号公報
【発明の概要】
【発明が解決しようとする課題】
【０００５】
半リング部の軸方向の幅は狭いが、この幅内に爪部及び爪受け部が並んでいるので、爪部及び爪受け部の軸方向幅は更に狭くなる。そのため、十分な係合力が得られないおそれがある。
【０００６】
本発明は斯かる事情に鑑みてなされたものであり、十分な係合力が得られる綴じ具を提供することを目的とする。
【課題を解決するための手段】
【０００７】
本発明に係る綴じ具は、棒状のベース及び該ベースから突出し、前記ベースに沿って軸方向に並んだ複数の半リング部を有する二つの部材を備え、一方の前記部材における前記半リング部の先端部と、他方の前記部材における前記半リング部の先端部とを突き合わせる綴じ具であって、前記複数の半リング部は第一半リング部及び第二半リング部を含み、前記第一半リング部の先端部外周面に、第一凹部及び該第一凹部の先端側に隣接する第一凸部が、前記第一半リング部の軸方向における幅全体に亘って形成されており、前記第二半リング部の先端部内周面に、第二凹部及び該第二凹部の先端側に隣接する第二凸部が、前記第二半リング部の軸方向における幅全体に亘って形成されており、一方の前記部材の前記第一凸部及び第二凸部は、他方の前記部材の前記第二凹部及び第一凹部にそれぞれ係合する。
【発明の効果】
【０００８】
本発明に係る綴じ具にあっては、第一凹部の先端側に第一凸部は隣接している。換言すれば、第一凹部及び第一凸部は、第一半リング部の周方向に並んでいる。また第一凹部及び第一凸部は、第一半リング部の軸方向における幅全体に亘って形成されている。また第二凹部及び第二凸部も、第二半リング部の周方向に並び且つ第二半リング部の軸方向における幅全体に亘って形成されている。そのため、第一凸部及び第二凸部が第二凹部及び第一凹部にそれぞれ係合した場合に、十分な係合力を得ることができる。
【図面の簡単な説明】
【０００９】
【図１】綴じ具の略示分解斜視図である。
【図２】綴じ具の略示分解平面図である。
【図３】上側から視認した第一部材の部分拡大斜視図である。
【図４】第一半リング部の平面図である。
【図５】第一半リング部の右側面図である。
【図６】第一半リング部の背面図である。
【図７】第一半リング部の正面図である。
【図８】下側から視認した第一部材の部分拡大斜視図である。
【図９】第二半リング部の底面図である。
【図１０】第二半リング部の右側面図である。
【図１１】第二半リング部の背面図である。
【図１２】第二半リング部の正面図である。
【図１３】上側から視認した第二部材の部分拡大斜視図である。
【図１４】下側から視認した第二部材の部分拡大斜視図である。
【図１５】係合した第一半リング部及び第二半リング部の略示平面図である。
【図１６】図１５に示すＸＶＩ−ＸＶＩ線を切断線とした略示断面図である。
【図１７】図１５に示すＸＶＩＩ−ＸＶＩＩ線を切断線とした略示断面図である。
【図１８】係合した第一半リング部及び第二半リング部の略示平面図である。
【図１９】図１８に示すＸＩＸ−ＸＩＸ線を切断線とした略示断面図である。
【図２０】図１８に示すＸＸ−ＸＸ線を切断線とした略示断面図である。
【発明を実施するための形態】
【００１０】
以下本発明を実施の形態に係る綴じ具を示す図面に基づいて説明する。以下の説明では、図に示す上下左右前後を使用する。図１は、綴じ具の略示分解斜視図、図２は、綴じ具の略示分解平面図である。
【００１１】
綴じ具は、左右にそれぞれ配置された第一部材１及び第二部材２１を備える。第一部材１は棒状のベース２を備える。ベース２は前後方向に延びる。ベース２には、左側に膨らんだ複数の第一半リング部５と、左側に膨らんだ複数の第二半リング部６とが前後方向に並設されている。第一半リング部５及び第二半リング部６は交互に配置され、ベース２から上方に突出する。第一半リング部５及び第二半リング部６の軸心は前後方向に延びる。第一半リング部５及び第二半リング部６は、例えば紙葉の孔に挿入される。ベース２の前半分には、ベース２に平行な軸部３が設けられている。ベース２の後半分には、複数のフック部４が前後に並設されている。
【００１２】
第二部材２１は、棒状のベース２２を備える。ベース２２は前後方向に延びる。ベース２２には、右側に膨らんだ複数の第一半リング部２５と、右側に膨らんだ複数の第二半リング部２６とが前後方向に並設されている。第一半リング部２５及び第二半リング部２６は交互に配置され、ベース２２から上方に突出する。第一半リング部２５及び第二半リング部２６の軸心は前後方向に延びる。第一半リング部２５及び第二半リング部２６は、例えば紙葉の孔に挿入される。ベース２２の前半分には、ベース２２に平行な軸部２３が設けられている。ベース２２の後半分には、複数のフック部２４が前後に並設されている。
【００１３】
軸部３は、フック部２４に軸回りに回動可能に係合し、軸部２３は、フック部４に軸回りに回動可能に係合する。軸部３の後端部と軸部２３の前端部との間にばね３０が設けられている。ばね３０が短縮した場合、第一部材１の第一半リング部５は、第二部材２１の第二半リング部２６に突き合わされ、第一部材１の第二半リング部６は、第二部材２１の第一半リング部２５に突き合わされる。ばね３０が伸長した場合、二つのベース２、２２は前後方向に相対的に逆向きに移動し、第一部材１の第一半リング部５及び第二半リング部６は、第二部材２１の第一半リング部２５及び第二半リング部２６の間にそれぞれ配置される。
【００１４】
図３は、上側から視認した第一部材１の部分拡大斜視図、図４は、第一半リング部５の平面図、図５は、第一半リング部５の右側面図、図６は、第一半リング部５の背面図、図７は、第一半リング部５の正面図である。第一半リング部５の外周面において、第一半リング部５の先端よりも若干左寄りの部分に、第一凹部５０が形成されている。第一凹部５０よりも先端側の部分には上方に突出した第一凸部５７が形成されている。第一凸部５７は第一凹部５０に隣接する。
【００１５】
図７に示すように、第一凸部５７の上面は、全体的に、右側に向かうに従って左側よりも位置が下がるように傾斜している。第一凸部５７の上面中央部には、後側に向かうに従って前側よりも位置が下がるように傾斜した第１面５１（第一傾斜面）が形成されている。第１面５１は半リング部の軸心に交差する向きに傾斜する。第１面５１の前側に第２面５２が形成され、後側に第３面５３が形成されている。前後方向において、第２面５２及び第３面５３は傾斜しない。
【００１６】
図７に示すように、第一凹部５０の底面は、全体的に、右側に向かうに従って左側よりも位置が下がるように傾斜している。第一凹部５０の底面中央部には、後側に向かうに従って前側よりも位置が下がるように傾斜した第４面５４（第二傾斜面）が形成されている。第４面５４は半リング部の軸心に交差する向きに傾斜する。第４面５４の前側に第５面５５が形成され、後側に第６面５６が形成されている。前後方向において、第５面５５及び第６面５６は傾斜しない。図４に示すように、第１面５１と第４面５４とは略同じ面積及び平面形状を有するが、両者の位置は前後方向、即ち半リング部の軸方向に偏倚している。第１面５１は第４面５４よりも前側に配置されている。
【００１７】
図８は、下側から視認した第一部材１の部分拡大斜視図、図９は、第二半リング部６の底面図、図１０は、第二半リング部６の右側面図、図１１は、第二半リング部６の背面図、図１２は、第二半リング部６の正面図である。第二半リング部６の内周面において、第二半リング部６の先端よりも若干左寄りの部分に、第二凹部６０が形成されている。第二凹部６０よりも先端側の部分には下方に突出した第二凸部６７が形成されている。第二凸部６７は第二凹部６０に隣接する。
【００１８】
図１２に示すように、第二凸部６７の下面は、全体的に、右側に向かうに従って左側よりも位置が上がるように傾斜している。第二凸部６７の上面中央部には、後側に向かうに従って前側よりも位置が上がるように傾斜した第７面６１（第二傾斜面）が形成されている。第７面６１は半リング部の軸心に交差する向きに傾斜する。第７面６１の後側に第８面６２が形成され、前側に第９面６３が形成されている。前後方向において、第８面６２及び第９面６３は傾斜しない。
【００１９】
図１２に示すように、第二凹部６０の底面は、全体的に、右側に向かうに従って左側よりも位置が上がるように傾斜している。第二凹部６０の底面中央部には、後側に向かうに従って前側よりも位置が上がるように傾斜した第１０面６４（第一傾斜面）が形成されている。第１０面６４は半リング部の軸心に交差する向きに傾斜する。第１０面６４の後側に第１１面６５が形成され、前側に第１２面６６が形成されている。前後方向において、第１１面６５及び第１２面６６は傾斜しない。図９に示すように、第７面６１と第１０面６４とは略同じ面積及び平面形状を有するが、両者の位置は前後方向、即ち半リング部の軸方向に偏倚している。第７面６１は第１０面６４よりも後側に配置されている。
【００２０】
図１３は、上側から視認した第二部材２１の部分拡大斜視図である。第一半リング部２５の外周面において、第一半リング部２５の先端よりも若干右寄りの部分に、第一凹部５０ａが形成されている。第一凹部５０ａよりも先端側の部分には上方に突出した第一凸部５７ａが形成されている。第一凸部５７ａは第一凹部５０ａに隣接する。
【００２１】
第一凸部５７ａの上面は、全体的に、左側に向かうに従って右側よりも位置が下がるように傾斜している。第一凸部５７ａの上面中央部には、後側に向かうに従って前側よりも位置が上がるように傾斜した第１面５１ａ（第一傾斜面）が形成されている。第１面５１ａは半リング部の軸心に交差する向きに傾斜する。第１面５１ａの後側に第２面５２ａが形成され、前側に第３面５３ａが形成されている。前後方向において、第２面５２ａ及び第３面５３ａは傾斜しない。
【００２２】
第一凹部５０ａの底面は、全体的に、左側に向かうに従って右側よりも位置が下がるように傾斜している。第一凹部５０ａの底面中央部には、後側に向かうに従って前側よりも位置が上がるように傾斜した第４面５４ａ（第二傾斜面）が形成されている。第４面５４ａは半リング部の軸心に交差する向きに傾斜する。第４面５４ａの後側に第５面５５ａが形成され、前側に第６面５６ａが形成されている。前後方向において、第５面５５ａ及び第６面５６ａは傾斜しない。第１面５１ａと第４面５４ａとは略同じ面積及び平面形状を有するが、両者の位置は前後方向、即ち半リング部の軸方向に偏倚している。第１面５１ａは第４面５４ａよりも前側に配置されている。
【００２３】
図１４は、下側から視認した第二部材２１の部分拡大斜視図である。第二半リング部２６の内周面において、第二半リング部２６の先端よりも若干右寄りの部分に、第二凹部６０ａが形成されている。第二凹部６０ａよりも先端側の部分には下方に突出した第二凸部６７ａが形成されている。第二凸部６７ａは第二凹部６０ａに隣接する。
【００２４】
第二凸部６７ａの下面は、全体的に、左側に向かうに従って右側よりも位置が上がるように傾斜している。第二凸部６７ａの上面中央部には、後側に向かうに従って前側よりも位置が下がるように傾斜した第７面６１ａ（第二傾斜面）が形成されている。第７面６１ａは半リング部の軸心に交差する向きに傾斜する。第７面６１ａの前側に第８面６２ａが形成され、後側に第９面６３ａが形成されている。前後方向において、第８面６２ａ及び第９面６３ａは傾斜しない。
【００２５】
第二凹部６０ａの底面は、全体的に、左側に向かうに従って右側よりも位置が上がるように傾斜している。第二凹部６０ａの底面中央部には、後側に向かうに従って前側よりも位置が下がるように傾斜した第１０面６４ａ（第一傾斜面）が形成されている。第１０面６４ａは半リング部の軸心に交差する向きに傾斜する。第１０面６４ａの前側に第１１面６５ａが形成され、後側に第１２面６６ａが形成されている。前後方向において、第１１面６５ａ及び第１２面６６ａは傾斜しない。第７面６１ａと第１０面６４ａとは略同じ面積及び平面形状を有するが、両者の位置は前後方向、即ち半リング部の軸方向に偏倚している。第７面６１ａは第１０面６４ａよりも前側に配置されている。
【００２６】
ばね３０を短縮させて、第一部材１の第一半リング部５と、第二部材２１の第二半リング部２６とを突き合わせ、第一部材１の第二半リング部６と、第二部材２１の第一半リング部２５とを突き合わせ、第一部材１及び第二部材２１を回動させることによって、第一部材１の第一凸部５７は第二部材２１の第二凹部６０ａに係合し、第一部材１の第二凸部６７は、第二部材２１の第一凹部５０ａに係合する。また第二部材２１の第一凸部５７ａは、第一部材１の第二凹部６０に係合し、第二部材２１の第二凸部６７ａは、第一部材１の第一凹部５０に係合する。
【００２７】
図１５は、係合した第一半リング部５及び第二半リング部２６の略示平面図、図１６は、図１５に示すＸＶＩ−ＸＶＩ線を切断線とした略示断面図、図１７は、図１５に示すＸＶＩＩ−ＸＶＩＩ線を切断線とした略示断面図である。
【００２８】
図１６に示すように、第一半リング部５の第４面５４と、第二半リング部２６の第７面６１ａとは前後方向、すなわち半リング部の軸方向に平行な面に対して角度θ１傾斜しており、互いに接触する。前方への力が作用しても、斜面に生じる摩擦力によって、第４面５４と第７面６１ａとは容易に外れない。容易に外れないためには、角度θ１は０度よりも大きく、４５度未満であることが好ましく、より好ましくは３５度未満であることが好ましく、更に好ましくは３０度未満であることが好ましい。
【００２９】
図１７に示すように、第一半リング部５の第１面５１と、第二半リング部２６の第１０面６４ａとは、前後方向、すなわち半リング部の軸方向に平行な面に対して角度θ２傾斜しており、互いに接触する。前方への力が作用しても、斜面に生じる摩擦力によって、第４面５４と第７面６１ａとは容易に外れない。容易に外れないためには、角度θ２は０度よりも大きく、４５度未満であることが好ましく、より好ましくは３５度未満であることが好ましく、更に好ましくは３０度未満であることが好ましい。
【００３０】
図１８は、係合した第一半リング部２５及び第二半リング部６の略示平面図、図１９は、図１８に示すＸＩＸ−ＸＩＸ線を切断線とした略示断面図、図２０は、図１８に示すＸＸ−ＸＸ線を切断線とした略示断面図である。
【００３１】
図１９に示すように、第一半リング部２５の第４面５４ａと、第二半リング部６の第７面６１とは前後方向、すなわち半リング部の軸方向に平行な面に対して角度θ１傾斜しており、互いに接触する。後方への力が作用しても、斜面に生じる摩擦力によって、第４面５４ａと第７面６１とは容易に外れない。容易に外れないためには、角度θ１は０度よりも大きく、４５度未満であることが好ましく、より好ましくは３５度未満であることが好ましく、更に好ましくは３０度未満であることが好ましい。
【００３２】
図２０に示すように、第一半リング部２５の第１面５１ａと、第二半リング部６の第１０面６４とは、前後方向、すなわち半リング部の軸方向に平行な面に対して角度θ２傾斜しており、互いに接触する。後方への力が作用しても、斜面に生じる摩擦力によって、第４面５４ａと第７面６１とは容易に外れない。容易に外れないためには、角度θ２は０度よりも大きく、４５度未満であることが好ましく、より好ましくは３５度未満であることが好ましく、更に好ましくは３０度未満であることが好ましい。
【００３３】
第一半リング部５、２５及び第二半リング部６、２６は前後方向に交互に配置されているので、第一部材１及び第二部材２１に前方及び後方のいずれの力が作用しても、第一部材１及び第二部材２１は容易に外れない。
【００３４】
前述したように、第一半リング部５の第１面５１及び第４面５４は前後方向、すなわち半リング部の軸方向に偏倚している（図１５参照）。そのため第一半リング部５に左方、すなわち綴じ具が開く方向に力が作用した場合、偏倚していない場合に比べて、第二凸部６７ａにおける第７面６１ａ及び第８面６２ａ付近が第一凸部５７に係止しやすくなる（図１６、図１７参照）。
【００３５】
第一半リング部２５の第１面５１ａと第４面５４ａは前後方向に偏倚している（図１８参照）。そのため第一半リング部２５に右方、すなわち綴じ具が開く方向に力が作用した場合、偏倚していない場合に比べて、第二凸部６７における第７面６１及び第８面６２付近が第一凸部５７ａに係止しやすくなる（図１９、図２０参照）。
【００３６】
実施の形態に係る綴じ具にあっては、第一凹部５０、５０ａの先端側に第一凸部５７、５７ａは隣接している。換言すれば、第一凹部５０、５０ａ及び第一凸部５７、５７ａは、第一半リング部５、２５の周方向に並んでいる。また第一凹部５０、５０ａ及び第一凸部５７、５７ａは、第一半リング部５、２５の軸方向における幅全体に亘って形成されている。また第二凹部６０、６０ａ及び第二凸部６７、６７ａも、第二半リング部６、２６の周方向に並び且つ第二半リング部６、２６の軸方向における幅全体に亘って形成されている。そのため、第一凸部５７、５７ａ及び第二凸部６７、６７ａが第二凹部６０、６０ａ及び第一凹部５０、５０ａにそれぞれ係合した場合に、十分な係合力を得ることができる。
【００３７】
前後方向において、第一半リング部５及び第二半リング部６は交互に配置され、第一半リング部２５及び第二半リング部２６は交互に配置されている。また後側に向かうに従って前側よりも位置が下がるように傾斜した第４面５４及び第７面６１ａ（第二傾斜面）が接触し（図１６参照）、後側に向かうに従って前側よりも位置が下がるように傾斜した第１面５１及び第１０面６４ａ（第一傾斜面）が接触する（図１７参照）。また後側に向かうに従って前側よりも位置が上がるように傾斜した第７面６１及び第４面５４ａ（第二傾斜面）が接触し（図１９参照）、後側に向かうに従って前側よりも位置が上がるように傾斜した第１０面６４及び第１面５１ａ（第一傾斜面）が接触する（図２０参照）。そのため、第一部材１及び第二部材２１に前方及び後方のいずれの力が作用しても、第一部材１及び第二部材２１は容易に外れない。なお第一半リング部５、２５及び第二半リング部６、２６は、全体として交互に配置されていればよく、例えば第一半リング部５及び第二半リング部２６を複数連続で配置した後、第二半リング部６及び第一半リング部２５を一又は複数配置してもよく、その逆でもよい。
【００３８】
今回開示した実施の形態は、全ての点で例示であって、制限的なものではないと考えられるべきである。実施の形態にて記載されている技術的特徴は互いに組み合わせることができ、本発明の範囲は、特許請求の範囲内での全ての変更及び特許請求の範囲と均等の範囲が含まれることが意図される。
【符号の説明】
【００３９】
２、２２  ベース
５、２５  第一半リング部
６、２６  第二半リング部
５０、５０ａ  第一凹部
５７、５７ａ  第一凸部
６０、６０ａ  第二凹部
６７、６７ａ  第二凸部
５１、５１ａ  第１面（第一傾斜面）
５４、５４ａ  第４面（第二傾斜面）
６１、６１ａ  第７面（第二傾斜面）
６４、６４ａ  第１０面（第一傾斜面）
【図１】
2019025844.tif 000003
【図２】
2019025844.tif 000004
【図３】
2019025844.tif 000005
【図４】
2019025844.tif 000006
【図５】
2019025844.tif 000007
【図６】
2019025844.tif 000008
【図７】
2019025844.tif 000009
【図８】
2019025844.tif 000010
【図９】
2019025844.tif 000011
【図１０】
2019025844.tif 000012
【図１１】
2019025844.tif 000013
【図１２】
2019025844.tif 000014
【図１３】
2019025844.tif 000015
【図１４】
2019025844.tif 000016
【図１５】
2019025844.tif 000017
【図１６】
2019025844.tif 000018
【図１７】
2019025844.tif 000019
【図１８】
2019025844.tif 000020
【図１９】
2019025844.tif 000021
【図２０】
2019025844.tif 000022